(57)【特許請求の範囲】
【請求項１】
Ａ成分とＢ成分とを混合し発生した泡により火元を覆って油表面への酸素の供給を遮断して窒息によって消火する２剤混合型の泡消火剤であって、
Ａ成分に過酸化水素水と非イオン界面活性剤と高級アルコールと炭化水素類及び水を含み、酸の混合液とし、
Ｂ成分にカタラーゼを含む水溶液又は粉末を含む、
２剤混合型の泡消火剤。
【請求項２】
前記Ａ成分の炭化水素類として、流動パラフィンを含む請求項１記載の２剤混合型の泡消火剤。
【発明の詳細な説明】
【技術分野】
【０００１】
本発明は、２剤混合型の消火剤において、過酸化水素をカタラーゼという分解酵素で泡をつくり、その泡をクリーミーな強いものにして火元を覆って消火する２剤混合型の消火剤に関する。
【背景技術】
【０００２】
従来の消火剤は、炎焼しつつある油の表面全面を、界面活性剤と脂肪酸塩等を含む難燃性で粘性の大きい被膜の炭酸ガスによる泡とで覆い、所謂窒息効果を発現し当該油表面への酸素（空気）の供給を遮断させて所謂窒息状態とすることによって、炎焼しつつある油を鎮火、消火させるように構成されている（特許文献１）。
【先行技術文献】
【特許文献】
【０００３】
【特許文献１】特開平１１−０００４１４
【発明の概要】
【発明が解決しようとする課題】
【０００４】
しかしこの消火剤は、消火を炭酸ガスによる泡に求めるため、炭酸ガス発生の原因となる脂肪酸塩の熱分解のしやすさ等が影響した。
【０００５】
本発明の目的は、脂肪酸塩の熱分解のしやすさ等に影響されずに、消火することができ、人体にも無害である消火剤を提供することころにある。
【課題を解決するための手段】
【０００６】
本発明は、Ａ成分とＢ成分とを混合し発生した泡により火元を覆って消火する２剤混合型の消火剤であって、
Ａ成分に過酸化水素水と界面活性剤と油剤と水とを含み、
Ｂ成分にカタラーゼを含む溶液又は粉末を含む、
２剤混合型の消化剤である。
【発明の効果】
【０００７】
本発明により、消火時、Ａ成分とＢ成分を混合することにより、過酸化水素をカタラーゼという分解酵素で泡をつくり、その泡をクリーミーな強いものにして火元を覆って消火することができる。
【発明を実施するための形態】
【０００８】
Ａ成分とＢ成分を混合することで泡を発生させるには、過酸化水素とカタラーゼを用いる。Ａ成分に過酸化水素水と界面活性剤と油剤と水を含み、Ｂ成分にカタラーゼを含む水溶液又は粉末を含む。ただ消火するには強い泡の膜とし、その強い泡の膜で覆わなければならない。
強い泡の膜にする成分としては、過酸化水素水に油剤と界面活性剤と水を加えた成分とし、好ましくは安定剤を加える。
【０００９】
油剤としては油脂類、ロウ類、炭化水素類、高級アルコール類、脂肪酸、エステル類が用いられる。油脂類はミンク油等の動物油、オリブ油、ヤシ油等の植物油、カルナウバロウ等のロウ油、流動パラフィン、パラフィン等の炭化水素類、ミリスチルアルコール、セタノール、ステアリルアルコール、セトステアリルアルコール等の高級アルコール、ラウリン酸、ミリスチン酸、パルミチン酸、オレイン酸等の脂肪酸、ミリスチン酸オクチルドデシル、乳酸セチル、トリミリスチン酸グリセリン等のエステル類が用いられる。これらは１種又は２種以上用いられる。
【００１０】
界面活性剤としては、ラウリン酸ナトリウム、ラウリル硫酸ナトリウム、ポリオキシエチレンラウリル硫酸ナトリウム、テトラデセンスルフォン酸ナトリウム等の陰イオン性界面活性剤、塩化ステアリルトリメチルアンモニウム、塩化ジステアリルジメチルアンモニウム、ステアリン酸ジメチルアミノプロピルアミド等の陽イオン界面活性剤、２-アルキル-Ｎ-カルボキシメチル-Ｎ-ヒドロキシエチルイミダゾリウムベタイン、ラウリルジメチルアミノ酢酸ベタイン、ヤシ油脂肪酸アミドプロピルベタイン等の両イオン界面活性剤、ポリオキシエチレンセチルエーテル、ポリオキシエチレンポリオキシプロピレングリコール、グリセリン脂肪酸エステル、ポリグリセリン脂肪酸エステル、ポリオキシエチレン多価アルコール脂肪酸エステル等の非イオン界面活性剤が１種又は２種以上用いられる。
【００１１】
安定剤としては、クエン酸、クエン酸ソーダ、リン酸、リン酸塩等のｐＨ調整剤、エデト酸ナトリウム、ヒドロキシエタンジホスホン酸、ヒドロキシエタンジホスホン酸４ナトリウム等のキレート剤、パラベン、フェノキシエタノール等の防腐剤、その他、ジエチレングリコールモノエチルエーテル、グリセリン、１，３-ブチレングリコール等がある。
【００１２】
なかでも特に、より強い泡の膜にする成分として好ましいのは、過酸化水素水に、界面活性剤としてポリオキシエチレンセチルエーテル等の非イオン界面活性剤、油剤としてセトステアリルアルコール、ミリスチルアルコール等の高級アルコール、流動パラフィン等の炭化水素類、及び水を用いることである。また好ましくはキレート剤、特にヒドロキシエタンジホスホン酸４ナトリウム、ヒドロキシエタンジホスホン酸が用いられる。その他、フェノキシエタノール、ジエチレングリコールモノエチルエーテル、クエン酸ソーダ、クエン酸、リン酸を用いることが望ましい。
【００１３】
このように、Ａ成分として過酸化水素水に油剤と界面活性剤と水を加えた成分とすることによって、Ｂ成分のカタラーゼを加えて混合物としても、混合組成物時点でより強いクリーミーな泡として火元を覆って消火することができる。
【実施例】
【００１４】
Ａ成分、Ｂ成分からなる消火剤組成物を調製した。％は重量％である。
（実施例１）
Ａ成分
Ａ成分は下記の過酸化水素水、非イオン界面活性剤、炭化水素類及び高級アルコールを混合し、その混合液にリン酸を加え、最後に水を加えた。当該混合液にリン酸を加えたのは、アルカリでは分解してしまうので安定性の高いｐＨ３前後にする酸として有効である。
過酸化水素水（３５％）                    １７．０％
ポリオキシエチレンセチルエーテル            ２.０％
セトステアリルアルコール                    ２.０％
ミリスチルアルコール                        １.０％
流動パラフィン                              １.０％
リン酸                                      ０.３％
水                                        ７６．７％
Ｂ成分
カタラーゼ                                  ０．７５％
水                                        ９９．２５％
【００１５】
（実施例２）
Ａ成分
Ａ成分は下記の過酸化水素水、非イオン界面活性剤（ポリオキシエチレンセチルエーテル）、高級アルコール（セトステアリルアルコール、ミリスチルアルコール）、リン酸、水のみを加えた以外は、実施例１と同じ製法で調製した。
Ｂ成分
Ｂ成分は同じである。
【００１６】
（比較例１）
Ａ成分
Ａ成分は下記の過酸化水素水、リン酸、水のみを加え、コントロールとした以外は、実施例１と同じ製法で調製した。
Ｂ成分
Ｂ成分は同じである。
（比較例２）
Ａ成分
Ａ成分は下記の過酸化水素水、非イオン界面活性剤（ポリオキシエチレンセチルエーテル）、リン酸、水のみを加えた以外は、実施例１と同じ製法で調製した。
Ｂ成分
Ｂ成分は同じである。
【００１７】
表１、表２は各々消火剤組成物の成分についてまとめた。
Ａ成分
【表１】
0006032896.tif 000002
【００１８】
Ｂ成分
【表２】
0006032896.tif 000003
【００１９】
次に、比較例１を基準として実施例１、２及び比較例２に対し泡のクリーミーさを相対評価した。
【表３】
0006032896.tif 000004
【００２０】
評価基準は次の通りである。○及び◎がこの消火剤として許容できる範囲である。
×  ：泡はできるがすぐに崩壊する。
△  ：泡はできるが徐々に崩壊する。
○  ：泡ができてかなりの時間保持しているが泡の表面が時間とともに薄くなる。
◎  ：泡ができてかなりの時間保持し泡の表面もほとんど変化がない。
【００２１】
表３により、Ａ成分とＢ成分とを混合することで、泡のクリーミーさは実施例１、２で比較例１、２と比較して良好である。すなわち実施例及び比較例ともにいずれも泡が発生するにも拘わらず、実施例、特に実施例２ではその泡が強固であり、持続する。また特に、この２液混合型は消火剤は、熱分解は不要となり、小さな火であっても火元を覆って消火することができた。
【産業上の利用可能性】
【００２２】
本発明の消火剤は、２成分型なので、混合時点で泡が発生するもので、泡の発生に炎焼しつつある油による熱分解は不要となる。しかも過酸化水素をカタラーゼという分解酵素で泡をつくり、その泡をクリーミーな強いものにして火元を覆って消火することができるので、人体に無害である消火剤として有効に利用することができる。